(57)【要約】      （修正有）【課題】患者が介護ベッドの上で直接排泄できる介護ベッドを提供する。【解決手段】介護ベッドは、ベッドフレーム１０と、第一床板２０と、第二床板３０と、便器４０と、カバー５０と、マットレス６０と、洗浄装置と、制御装置とを備える。位置決めフレームにより便器がベッドフレームに設置され、また、ベッドフレームの上方に設置される第一床板には便器の設置箇所に対応する第一孔部２１が設けられ、カバーにより第一孔部が遮蔽されるか露出され、第一床板の上方に設置されるマットレスには活動板６１が設置される。活動板がカバーに追随して第一孔部の上方から移動すると、マットレスの第一孔部の真上に対応する第二孔部６１１が形成され、人体臀部が第一孔部及び第二孔部の下方の便器に向けられて排便が行われる。排便後には、洗浄装置により臀部が洗浄される。【選択図】図５Ｂ
0003208917.tif 000002
【実用新案登録請求の範囲】
【請求項１】
ベッドフレームと、
前記ベッドフレームに敷設され、人体臀部に対応される位置に第一孔部が設けられ、且つ上表面の前記第一孔部に対応される箇所には収容溝が設けられ、また、上表面には通気用凹部が設けられ、且つ前記通気用凹部に対応される箇所には通気孔が設けられる第一床板と、
前記第一床板の前縁に枢設され、前記ベッドフレームとの間に仰角を調整させるためのプッシュ動力が設置され、上表面には前記通気用凹部が設けられ、且つ前記通気用凹部に対応される箇所には通気孔が設けられる第二床板と、
前記ベッドフレームに設置される位置決めフレームにより前記第一孔部の真下に定位される便器と、
前記ベッドフレームに設置される滑動動力により前記第一孔部の上方または前記収容溝内部に定位されるカバーと、
前記第一床板及び前記第二床板の真上に設置され、前記第一孔部の上方に対応されるように切断されて移動可能な活動板が形成され、前記活動板の自由端は前記カバーに固定されると共に前記カバーにより連動され、前記活動板が前記カバーに追随して前記第一孔部の上方から移動されると、前記第一孔部の真上に対して露出される第二孔部が形成される通気マットレスと、
前記ベッドフレームに固定され、スプレーヘッドと、ポンプと、水容器と、チューブとを有し、前記スプレーヘッドは前記第一床板の第一孔部の下方に設置され、且つ前記便器の上方に対応されるように位置され、且つ前記スプレーヘッドは前記ポンプにより前記水容器から抽水された水が前記スプレーヘッドから噴出されて人体臀部が洗浄される洗浄装置と、
前記ベッドフレームに設置されると共に前記プッシュ動力、前記滑動動力、及び前記ポンプに電気的に接続され、それらの起動と停止の制御に用いられる制御装置と、
を備えることを特徴とする介護ベッド。
【請求項２】
前記活動板には柔らかい布が更に設置されることを特徴とする請求項１に記載の介護ベッド。
【請求項３】
前記位置決めフレームは枠型であり、前記ベッドフレームに対して回動可能に枢設される枢設部を有し、且つ前記枢設部に対向する係合辺部が、前記ベッドフレームの係合部材に係合されることを特徴とする請求項１または請求項２に記載の介護ベッド。
【請求項４】
前記第一床板の通気孔及び前記第二床板の通気孔にはファンが更に設置されることを特徴とする請求項１〜請求項３のうちいずれか一項に記載の介護ベッド。
【請求項５】
前記プッシュ動力及び前記滑動動力は電動アクチュエータであることを特徴とする請求項１〜請求項４のうちいずれか一項に記載の介護ベッド。
【請求項６】
前記通気マットレスには前記第一床板の前縁に対応する位置に折線が設けられ、且つその表面はベッドカバーにより更に被覆され、前記ベッドカバーには前記第一孔部及び前記第二孔部に対応される位置に第三孔部が設けられることを特徴とする請求項１〜請求項５のうちいずれか一項に記載の介護ベッド。
【考案の詳細な説明】
【技術分野】
【０００１】
本考案は、介護ベッドに関し、更に詳しくは、患者が介護ベッドの上で直接排泄を行える設計に関する。
【背景技術】
【０００２】
高齢化が進むにつれて、疾病を患う高齢者も増加傾向にある。行動が不自由な者、脳梗塞、脳の病気、中枢神経障害、及び麻痺や長期間寝たきりの患者等、行動能力が衰えている者の多くは長期間介護ベッドで過ごすため、患者の移動には家族や看護人員の助けが欠かせず、皆で力を合わせて移動させねばならないため、家族や看護人員、及び患者それぞれにとって不便であった。また、患者が家族や看護人員の助けを得て排泄の問題を解決させることは、患者にとって尊厳を傷つけるものであり、且つ患者の心理的負担も大きかった。
【考案の概要】
【考案が解決しようとする課題】
【０００３】
しかしながら、現在のよくある介護ベッドでは、患者が介護ベッドの上で直接排泄を簡単且つ便利に行える設計にはなっていない。一般的には、介護ベッドの傍に便器を準備し、患者が排尿する場合は便器に排尿し、排便する場合はトイレまで行って排便を行わなければならず、患者及び介護者にとって極めて不便であった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、介護ベッドを提供することを目的とする。すなわち、先行技術では患者が介護ベッドの上で直接排泄を行えないという問題を解決させ、患者が介護ベッドの上で直接排泄を行える効果を有する。
【０００６】
また、本考案の他の目的は、便器が取り出して洗浄しやすいという効果を有する。
【０００７】
なお、本考案のさらなる他の目的は、介護ベッドの通気性が高まる効果を有する。
【課題を解決するための手段】
【０００８】
上述した課題を解決し、上記目的を達成するための本考案は、本考案に係る介護ベッドは、
ベッドフレームと、
前記ベッドフレームに敷設され、人体臀部に対応される位置に第一孔部が設けられ、且つ上表面の前記第一孔部に対応される箇所には収容溝が設けられ、また、上表面には通気用凹部が設けられ、且つ前記通気用凹部に対応される箇所には通気孔が設けられる第一床板と、
前記第一床板の前縁に枢設され、前記ベッドフレームとの間に仰角を調整させるためのプッシュ動力が設置され、上表面には通気用凹部が設けられ、且つ前記通気用凹部に対応される箇所には通気孔が設けられる第二床板と、
前記ベッドフレームに設置される位置決めフレームにより前記第一孔部の真下に定位される便器と、
前記ベッドフレームに設置される滑動動力により前記第一孔部の上方または前記収容溝内部に定位されるカバーと、
前記第一床板及び前記第二床板の真上に設置され、前記第一孔部の上方に対応されるように切断されて移動可能な活動板が形成され、前記活動板の自由端は前記カバーに固定されると共に前記カバーにより連動され、前記活動板が前記カバーに追随して前記第一孔部の上方から移動されると、前記第一孔部の真上に対して露出される第二孔部が形成される通気マットレスと、
前記ベッドフレームに固定され、スプレーヘッドと、ポンプと、水容器と、チューブとを有し、前記スプレーヘッドは前記第一床板の第一孔部の下方に設置され、且つ前記便器の上方に対応されるように位置され、且つ前記スプレーヘッドは前記ポンプにより前記水容器から抽水された水が前記スプレーヘッドから噴出されて人体臀部が洗浄される洗浄装置と、
前記ベッドフレームに設置されると共に前記プッシュ動力、前記滑動動力、及び前記ポンプに電気的に接続され、それらの起動と停止の制御に用いられる制御装置と、
を備えることを特徴とする。
【０００９】
本考案は、位置決めフレームにより便器がベッドフレームに設置され、また、ベッドフレームの上方に設置される第一床板には便器の設置箇所に対応される第一孔部が設けられ、且つカバーにより第一孔部が遮蔽されるか露出され、第一床板の上方に設置される通気マットレスには便器の設置箇所に対応される活動板が設置される。活動板が前記カバーに追随して前記第一孔部の上方から移動されると、前記通気マットレスには前記第一孔部の真上に対して露出される第二孔部が形成され、人体臀部が第一孔部及び第二孔部の下方の便器に向けられて排便が行われる。このように、本考案は、長期間病床に臥せっている者や脳梗塞の患者に向けて設計されており、人の助けを借りずとも患者が自分で排泄を行えるようになる効果を有し、患者の環境面及び衛生面が向上する。
【図面の簡単な説明】
【００１０】
【図１Ａ】本考案（通気マットレス不図示）のカバーが第一孔部の真上に位置される構造を示す外観斜視図である。
【図１Ｂ】本考案（通気マットレス不図示）のカバーが収容溝の内部に位置される構造を示す外観斜視図である。
【図２】本考案の介護ベッドの底部構成を示す外観斜視図である。
【図３Ａ】本考案の介護ベッドの底部構成を示す展開図である。
【図３Ｂ】本考案の介護ベッドとベッドカバーが分離を呈する状態を示す概略図である。
【図３Ｃ】本考案の介護ベッド構成を示す外観斜視図である。
【図４】本考案の介護ベッド構成を示す側面図である。
【図５Ａ】本考案の第二床板が上昇され、且つカバーが第一孔部の真上に位置される構造を示す外観斜視図である。
【図５Ｂ】本考案の第二床板が上昇され、且つカバーが第一孔部から離脱される構造を示す外観斜視図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
（第１実施形態）
以下、本考案の実施形態を図１Ａ〜図５Ｂに基づいて説明する。本考案は、ベッドフレーム１０と、第一床板２０と、第二床板３０と、便器４０と、カバー５０と、通気マットレス６０と、洗浄装置７０と、制御装置８０とを備える。第一床板２０は、患者の頭部を含む上半身を主に支持し、第二床板３０は、患者の臀部を含む下半身を主に支持する。なお、以下の説明において、患者がベッドに横たわったときに、頭部側となる方を「前」、足側となる方を「後」とする。また、この前後方向をベッドの「縦」方向、縦方向に直交する方向を「横」方向とする。
【００１３】
第一床板２０はベッドフレーム１０に敷設され、第一床板２０は人体臀部に対応される位置に第一孔部２１が設けられ、且つ第一床板２０の上表面の第一孔部２１に対応される箇所には収容溝２２が設けられる。また、第一床板２０の上表面には通気用凹部２３が設けられ、且つ第一床板２０の通気用凹部２３に対応される箇所には通気孔２４が設けられ、通気孔２４にはファン２４１が更に設置される。
【００１４】
第二床板３０はピボット部材３３により第一床板２０の前縁に枢設され、第二床板３０とベッドフレーム１０との間には仰角を調整させるためのプッシュ動力３１が設置される(図２及び図４参照)。プッシュ動力３１は電動アクチュエータである。また、第二床板３０の上表面には通気用凹部３２が設けられ、且つ第二床板３０の通気用凹部３２に対応される箇所には通気孔３４が設けられ、第二床板３０の通気孔３４にはファン３４１が更に設置される。
【００１５】
便器４０は位置決めフレーム４１により第一孔部２１の真下に定位され、位置決めフレーム４１はベッドフレーム１０に設置される。位置決めフレーム４１は枠型であり、ベッドフレーム１０に対して回動可能に枢設される枢設部４１１を有し、且つ枢設部に対向する係合辺部（ベッドの縦方向に延びる辺）が、ベッドフレーム１０の弾性係合部材１２に係合される。便器４０は、位置決めフレーム４１においてベッドの横方向に延びる部位に引っ掛けられて取り付けられる。
【００１６】
カバー５０は滑動動力５１により第一孔部２１の真上または収容溝２２内部に定位され、滑動動力５１は電動アクチュエータであり、ベッドフレーム１０に設置される。
【００１７】
通気マットレス６０は第一床板２０及び第二床板３０の真上に設置され、第一孔部２１の上方に対応されるように切断されて移動可能な活動板６１が形成される。活動板６１の自由端はカバー５０に固定されると共にカバー５０により連動され、活動板６１がカバー５０に追随して第一孔部２１の上方から移動されると、通気マットレス６０が第一孔部２１の真上に対して露出される第二孔部６１１が形成される。通気マットレス６０には、第一床板２０の前縁に対応する位置に折線６３が設けられ、且つその表面はベッドカバー６４により更に被覆される。ベッドカバー６４は第一孔部２１及び第二孔部６１１に対応される位置に第三孔部６４１が設けられる。本実施形態では、活動板６１には柔らかい布６２が更に設置される。柔らかい布６２は活動板６１に粘着されると共に活動板６１により連動され、使用者が臀部を接触させる際の快適さが増す。
【００１８】
なお、図２に示すように、洗浄装置７０は便器４０に対応されるようにベッドフレーム１０に設置され、スプレーヘッド７１と、ポンプ７２と、水容器７３と、チューブ７４とを有する。スプレーヘッド７１は第一孔部２１の下方に設置され、且つ便器４０の上方に対応されるように位置されるが、移動される便器４０に接触したり、影響を与えるようなことはない。スプレーヘッド７１は、ポンプ７２により水容器７３から抽水されてスプレーヘッド７１から噴出されて人体臀部が洗浄される。本実施形態において、ポンプ７２はＵ字形装設フレーム１１によりベッドフレーム１０の底部に固定される。
【００１９】
制御装置８０はベッドフレーム１０に設置されると共にプッシュ動力３１、滑動動力５１、及びポンプ７２に電気的に接続され、これらの各部材の起動と停止の制御に用いられる。
【００２０】
このような構成により、本考案は、位置決めフレーム４１により便器４０がベッドフレーム１０に設置され、また、ベッドフレーム１０の上方に設置される第一床板２０には便器４０の設置箇所に対応される第一孔部２１が設けられ、且つ第一孔部２１はカバー５０が前に移動されることにより遮蔽されるか、後ろに移動されることにより露出される。第一床板２０の上方に設置される通気マットレス６０は便器４０の設置箇所に対応される活動板６１が設置され、且つ活動板６１はカバー５０により連動される。これにより、カバー５０が前に移動されて第一孔部２１が遮蔽される場合、活動板６１及び柔らかい布６２は同期して前に移動され、第二孔部６１１も遮蔽される（図５Ａ参照）。こうして、本考案は普通の介護ベッドと同じように使用できる。
【００２１】
続いて、図５Ｂに示すように、カバー５０が後ろに移動される場合、通気マットレス６０では第二孔部６１１が露出され、且つベッドカバー６４の第三孔部６４１の真下に対応されるように位置される。活動板６１及び柔らかい布６２は共に軟性材質であり、且つ厚さが非常に薄いため、ベッドカバー６４内に巻き取られてもやや隆起するのみであり、使用には全く影響が出ない。カバー５０が第一孔部２１を露出させる場合、活動板６１の上端もカバー５０に追随して同期して後ろに移動されて第二孔部６１１が露出される。人体臀部が第二孔部６１１、第一孔部２１、及び下方の便器４０に向けられて、排便が行われる。なお、第二床板３０が起こされるとより排便しやすくなる。排便後には洗浄装置７０により臀部が洗浄される。よって、本考案は、患者が介護ベッドの上で直接排泄を行える効果を有する。
【００２２】
さらに、図２に示すように、便器４０の位置決めフレーム４１は、ベッドフレーム１０に枢設される枢設部４１１及びベッドフレーム１０に係合される係合辺部４１２を有する。本実施形態では、ベッドフレーム１０には係合辺部４１２に対して弾性係合部材１２が設置されている。係合辺部４１２及び弾性係合部材１２の係合関係が解除されると、前後方向の二箇所の枢設部４１１を結ぶ辺を回動軸として、位置決めフレーム４１が下方へ回動する。このとき、位置決めフレーム４１が傾斜状を呈し、便器４０を取り出して洗浄しやすくなる。本考案は、便器が取り出して洗浄しやすいという効果を更に有する。また、第二床板３０及び第一床板２０には共に通気用凹部３２、通気用凹部２３及び通気孔３４、通気孔２４が設けられ、ファン３４１、ファン２４１から送られる風力により、空調ガスが通気マットレス６０の底部に導入されて通気性が向上する。通気性をより高めるため、本考案は介護ベッドの通気性を高める効果を更に有する。
【００２３】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２４】
１０  ベッドフレーム
１１  装設フレーム
１２  弾性係合部材
２０  第一床板
２１  第一孔部
２２  収容溝
２３  通気用凹部
２４  通気孔
２４１  ファン
３０  第二床板
３１  プッシュ動力
３２  通気用凹部
３３  ピボット部材
３４  通気孔
３４１  ファン
４０  便器
４１  位置決めフレーム
４１１  枢設部
４１２  係合辺部
５０  カバー
５１  滑動動力
６０  通気マットレス
６１  活動板
６１１  第二孔部
６２  柔らかい布
６３  折線
６４  ベッドカバー
６４１  第三孔部
７０  洗浄装置
７１  スプレーヘッド
７２  ポンプ
７３  水容器
７４  チューブ
８０  制御装置
【図１Ａ】
0003208917.tif 000003
【図１Ｂ】
0003208917.tif 000004
【図２】
0003208917.tif 000005
【図３Ａ】
0003208917.tif 000006
【図３Ｂ】
0003208917.tif 000007
【図３Ｃ】
0003208917.tif 000008
【図４】
0003208917.tif 000009
【図５Ａ】
0003208917.tif 000010
【図５Ｂ】
0003208917.tif 000011